(57)【要約】【課題】  折畳み式サイドレールに被せるカバーとして、上部横桟から下部横桟までの全体を被せる筒状に形成したネットからなるカバーや、縁布で支持した方形のネットの周縁に、サイドレールの上下横桟及び両端側の縦桟との着脱可能な固定手段を設けたカバーが従来からあるが、使用者が上部横桟上に手をつくと横滑りを起こしたり、上部横桟上にオーバーテーブルを載置する場合、その位置に制約を受ける。【解決手段】  本発明では、縁布で支持した方形のネット１１の周縁に、折畳み式サイドレールの上下横桟及び両端側の縦桟との着脱可能な固定手段を設けたカバーにおいて、ネットの上縁側の固定手段は、ネットの上縁側に布状体１３を連設すると共に、この布状体の上側と下側の複数個所に対を成す留め具を設けて、布状体を留め具により筒状に固定可能に構成し、筒状の内周に対応する布状体の面にシート状又は網状の摩擦体１５を取付けたカバーを提案している。【選択図】    図１
2006055477.tif 000002
【特許請求の範囲】
【請求項１】
縁布で支持した方形のネットの周縁に、折畳み式サイドレールの上下横桟及び両端側の縦桟との着脱可能な固定手段を設けたカバーにおいて、ネットの上縁側の固定手段は、ネットの上縁側に布状体を連設すると共に、この布状体の上側と下側の複数個所に対を成す留め具を設けて、布状体を留め具により筒状に固定可能に構成し、筒状の内周に対応する布状体の面にシート状又は網状の摩擦体を取付けたことを特徴とする折畳み式サイドレール用カバー
【請求項２】
摩擦体はターポリンであることを特徴とする請求項１に記載の折畳み式サイドレール用カバー
【請求項３】
摩擦体はゴム製であることを特徴とする請求項１に記載の折畳み式サイドレール用カバー
【請求項４】
留め具は、係合の解除操作が必要なホックであることを特徴とする請求項１に記載の折畳み式サイドレール用カバー
【請求項５】
ネットの下縁側及び側縁側の固定手段は、留め具を設けたベルトを、複数間隔をおいて設けた構成としたことを特徴とする請求項１に記載の折畳み式サイドレール用カバー
【請求項６】
留め具は、対を成すホックであることを特徴とする請求項５に記載の折畳み式サイドレール用カバー
【請求項７】
留め具は、バックルであることを特徴とする請求項５に記載の折畳み式サイドレール用カバー
【請求項８】
留め具は、プッシュホックであることを特徴とする請求項５に記載の折畳み式サイドレール用カバー
【発明の詳細な説明】
【技術分野】
【０００１】
本発明は、ベッドやストレッチャー等の仰臥台の側部に取り付けて、ベッド上の人や寝具等の落下を防止するためのサイドレール、特に折畳み式サイドレール用のカバーに関するものである。
【背景技術】
【０００２】
折畳み式サイドレールは、上部横桟と下部横桟間に平行リンクを構成する複数の縦桟を連結して、上部横桟の位置を、上側の使用位置と、下側の格納位置に渡って平行リンク機構により昇降可能とした構成であり、このサイドレールは、例えば下部横桟から下方に突出した支持棒をベッド等の側部フレームに構成された嵌合穴に嵌合させて支持するものである。
【０００３】
このような折畳み式サイドレールは、差込式サイドレールのように使用時と格納時で、一々取り付けたり、外したりするという必要がないので、手間が掛からず、格納スペースも不要であるという利点があるが、使用状態から格納状態へと移行する時には上部横桟と下部横桟との間及び各縦桟間の間隔が狭くなるので、これらの間に、使用者の頭部や手足等を挟んでしまいやすいという欠点がある。
【０００４】
このような欠点を解消するために、折畳み式サイドレールにネットを取り付けて、上述した上部横桟、下部横桟及び縦桟間の隙間に頭部や手足等が入らないようにするための各種手段が提案されている。
【０００５】
例えば特許文献１には、図８、９に示されているように、折畳み式サイドレールの上部横桟から下部横桟までの全体を被せる筒状に形成したネットからなるカバーや、縁布で支持した方形のネットの周縁に、折畳み式サイドレールの上下横桟及び両端側の縦桟との着脱可能な固定手段を設けたカバーが記載されている。後者のものでは、下横桟及び縦桟との固定手段は、留め具を設けたベルトを、複数間隔をおいて設けた構成であり、また上横桟との固定手段は、ネットの上縁側に、上横桟を上方から嵌合するように構成したプラスチックス製等の係止部材を複数設けた構成としている。
【特許文献１】特開２００４−１２１６８１号公報
【発明の開示】
【発明が解決しようとする課題】
【０００６】
上述した特許文献１に記載されている筒状に形成したカバーでは、サイドレールを格納状態とした際にネットが弛んで、医療機器や用具を引っ掛けてしまったり、ベッドの使用者が上部横桟上に手をつくと滑る恐れがあり危険である。またサイドレールの昇降に際して、ネットは完全には追従しないため、格納状態から使用状態に持ち上げる際に、ネットがサイドレールの一部に引っ掛かってしまう恐れがある。またベッドの内外が２枚のネットによって遮られるため、ベッド上の使用者に閉塞間を感じさせてしまい、また筒状の両端部から内部に、使用者の頭部や手足が入ってしまう恐れもある。
【０００７】
一方、上述した特許文献１に記載されている後者のカバーでは、プラスチック製等の係止部材の個所では、それが厚さ分、上部横桟上に突出して段差を形成してしまうので、サイドレールの上部横桟上にオーバーテーブルを載置する場合、その位置に制約を受けてしまう。
そこで本発明は、以上の課題を解決することを目的とするものである。
【課題を解決するための手段】
【０００８】
上述した課題を解決するために、本発明では、縁布で支持した方形のネットの周縁に、折畳み式サイドレールの上下横桟及び両端側の縦桟との着脱可能な固定手段を設けたカバーにおいて、ネットの上縁側の固定手段は、ネットの上縁側に布状体を連設すると共に、この布状体の上側と下側の複数個所に対を成す留め具を設けて、布状体を留め具により筒状に固定可能に構成し、筒状の内周に対応する布状体の面にシート状又は網状の摩擦体を取付けた構成の折畳み式サイドレール用カバーを提案する。
【０００９】
また本発明では、上記構成において、摩擦体はターポリンとすることを提案する。
【００１０】
また本発明では、上記構成において、摩擦体はゴム製とすることを提案する。
【００１１】
また本発明では、上記構成において、布状体に設ける留め具は、係合の解除操作が必要なホックとすることを提案する。
【００１２】
また本発明では、上記構成において、ネットの下縁側及び側縁側の固定手段は、留め具を設けたベルトを、複数間隔をおいて設けた構成とすることを提案する。
【００１３】
また本発明では、上記の構成において、留め具は、対を成すホックとすることを提案する。
【００１４】
さらに本発明では、上記の構成において、留め具は、バックルとすることを提案する。
【００１５】
さらに本発明では、上記の構成において、留め具は、プッシュホックとすることを提案する。
【発明の効果】
【００１６】
本発明の折畳み式サイドレール用カバーでは、ネットの上縁側に連設した布状体を上部横桟に巻いて筒状として留め具により固定するので、固定が確実であり、また布状体と上部横桟間にはシート状又は網状の摩擦体が介在しているので、滑り難い。従ってカバーの上縁側は、上部横桟の昇降動作に良好に追従すると共に、使用位置では勿論のこと、格納位置においてベッドの使用者が手をついたとしても横滑りせず、安全である。
【００１７】
しかも摩擦体は、ターポリン又はゴム製シートや網状体であるので、これによって段差は生じず、従ってオーバーテーブルを載置する位置に制約を受けない。
【００１８】
また本発明において、上記構成において、布状体に設ける留め具は、係合の解除操作が必要なホック、例えばいわゆるプッシュホック等を使用すれば、解除操作以外に、引張力等の外力によっては外れることがないので安全である。
【００１９】
本発明において、ネットの下縁側及び側縁側の固定手段は、留め具を設けたベルトを、複数間隔をおいて設けた構成等、適宜の構成を採用することができ、これらの固定手段と、上述したネットの上縁側の固定手段とにより、本発明のカバーでは、折畳み式サイドレールの動きに良好に追従することができ、サイドレールを格納位置にもたらした際にもネットが弛まず、また格納位置から使用位置に上部横桟を持ち上げる際に、引っ掛かるというようなこともない。また本発明において、このように固定されたネットは、上部横桟と下部横桟間の空間内に収まり、横方向に突出しないので、サイドレールは、カバーを取付けた状態においても、必要なスペースが大きくなることはない。
【００２０】
そしてベッドの内外は、１枚のネットによって遮られるだけであるので、ベッド上の使用者に閉塞感を感じさせることがなく、また筒状のもののように両端部から内部に、使用者の頭部や手足が入ってしまうというようなこともない。
【実施例１】
【００２１】
次に本発明の実施例を添付図面を参照して説明する。
図１は本発明に係るカバーを装着した折畳み式サイドレールの使用状態を示す斜視図、図２は格納状態の正面図、図３は本発明に係るカバーをベッド内側から見る場合に対応してサイドレールに取り付けていない状態で示す正面図である。
図において、符号１はベッド、２はその側部フレームであり、また３は折畳み式サイドレールである。このサイドレール３は、上部横桟４と下部横桟５間に平行リンクを構成する複数の縦桟６を連結して、上部横桟４の位置を、図１に示す上側の使用位置と、図２に示す下側の格納位置に渡って平行リンク機構により昇降可能とした構成であり、例えば下部横桟５から下方に突出した支持棒７をベッド等の側部フレーム２に構成された嵌合穴８に嵌合させて支持するものとしている。
【００２２】
符号９は本発明に係るカバーであり、このカバーは、図３に詳細に示すように、縁布１０で支持した方形のネット１１の周縁に、上記サイドレール３の上下横桟４、５及び両端側の縦桟６との着脱可能な固定手段１２を設けたカバーにおいて、ネット１１の上縁側の固定手段１２ｕは、ネット１１の上縁側に布状体１３を連設すると共に、この布状体の上側と下側の複数個所に対を成す留め具１４ａ，１４ｂを設けて、布状体１３を留め具１４ａ，１４ｂにより筒状に固定可能に構成し、筒状の内周に対応する布状体１３の面に、即ち図３では、布状体１３の裏面側にシート状又は網状の摩擦体１５を貼付等により取付けた構成である。ここで、ネット１１における網目の方向は、全体形状と同方向としている。
【００２３】
この実施例では、布状体１３は、縁布１０と同様に、ポリエステル生地を使用している。また摩擦体１５は短冊状に切断したターポリンを使用している。また留め具１４ａ，１４ｂは、係合の解除操作が必要なホック、例えばいわゆるプッシュホック等を使用しており、１４ａがプッシュホックのオス、１４ｂがプッシュホックのメスとして構成している。これらの部材は、これらの実施例以外のものを使用できるものであり、例えば摩擦体１５は、ゴム製シートや網状体を使用することもできる。
【００２４】
次に、ネット１１の下縁側及び側縁側の固定手段１２ｄ，１２ｌ，１２ｒは、例えば上述した特許文献１にも記載されているように、留め具１６を設けたベルト１７を、複数、間隔をおいて設けた構成を適用している。
【００２５】
即ち、下縁側の固定手段１２ｄでは、留め具１６は、通常のホック、即ちホックのオス１８ａとホックのメス１８ｂとから構成しており、また側縁側の固定手段１２ｌ，１２ｒでは、留め具１６はバックル１９としている。
【００２６】
しかしながらネット１１の下縁側及び側縁側の固定手段１２ｄ，１２ｌ，１２ｒは、上記構成が逆であっても良いし、両者が同じ構成としてもよいことは勿論である。また固定手段１２ｄ，１２ｌ，１２ｒは、固定手段１２ｕと同様にプッシュホックを使用することもできる。
【００２７】
次に本発明のカバー９を折畳み式サイドレール３に装着する手順の一例を説明する。
まず図５に示すようにベッド１のマットレス上にカバー９を拡げる。この際、摩擦体１５が取り付けられている側を手前側とする。即ち、ベッド上の使用者側は裏側とする。
次に図６に示すように、ストッパー２０により使用状態に保持されているサイドレール３を、拡げられているカバー９の上に、所定の対応関係となるようにおく。
図７は、図６の要部を拡大して示すもので、この状態において、図８に示すように、布状体１３を上部横桟４に巻いて筒状としながら留め具１４ａ，１４ｂを順次固定する。
このようにネット１１の上縁側の全てが布状体１３と留め具１４ａ，１４ｂにより固定されたら、次に、図９、図１０、図１１の状態を順次経て、ネット１１の側縁側を、固定手段１２ｌ，１２ｒ、即ち、ベルト１７とバックル１９により固定し、次に図１２、図１３、図１４の状態を順次経て、ネット１１の下縁側を、固定手段１２ｄ、即ち、ベルト１７と通常のホック１８ａ，１８ｂにより固定し、以上の経過により、ネットの周縁を折畳み式サイドレール３に固定することができる。
【００２８】
以上に説明したように、本発明の折畳み式サイドレール用カバー９では、ネット１１の上縁側に連設した布状体１３を上部横桟４に巻いて筒状として留め具１４ａ，１４ｂにより固定するので、固定が確実であり、また布状体１３と上部横桟４間にはシート状又は網状の摩擦体１５が介在しているので、滑り難い。従ってカバー９の上縁側は、上部横桟４の昇降動作に良好に追従すると共に、使用位置では勿論のこと、格納位置においてベッド１の使用者が手をついたとしても横滑りせず、安全である。
【００２９】
しかも摩擦体１５は、ターポリン又はゴム製シートや網状体であるので、これによって段差は生じず、従ってサイドレールの上部横桟４上にオーバーテーブルを載置する位置に制約を受けない。
【００３０】
また本発明において、布状体１３に設ける留め具１４ａ，１４ｂを、係合の解除操作が必要なホック、例えばいわゆるプッシュホック等を使用すれば、解除操作以外に、引張力等の外力によっては外れることがないので安全である。
【００３１】
また本発明において、ネット１１の下縁側及び側縁側の固定手段１２ｄ，１２ｌ，１２ｒは、留め具１６を設けたベルト１７を、複数間隔をおいて設けた構成等、適宜の構成を採用することができ、これらの固定手段１２ｄ，１２ｌ，１２ｒと上述したネット１１の上縁側の固定手段１２ｕ、並びにネット１１における網目の方向とにより、本発明のカバー９では、折畳み式サイドレール３の動きに良好に追従することができ、サイドレール３を格納位置にもたらした際にもネット１が弛まず、また格納位置から使用位置に上部横桟を持ち上げる際に、引っ掛かるというようなこともない。
【００３２】
また本発明において、このように固定されたネット９は、上部横桟４と下部横桟５間の空間内に収まり、横方向に突出しないので、サイドレール３は、カバー９を取付けた状態においても、必要なスペースが大きくなることはない。
【００３３】
そしてベッド１の内外は、１枚のネット１１によって遮られるだけであるので、ベッド１上の使用者に閉塞間を感じさせることがなく、また筒状のもののように両端部から内部に、使用者の頭部や手足が入ってしまうというようなこともない。
【００３４】
上述したとおり、ネット１１の下縁側及び側縁側の固定手段１２ｄ，１２ｌ，１２ｒは、上記構成が逆であっても良いし、両者が同じ構成としてもよいし、また固定手段１２ｄ，１２ｌ，１２ｒとして、固定手段１２ｕと同様にプッシュホックを使用することもできるものであり、図１５、図１６は、他の実施例として、ネット１１の下縁側の固定手段１２ｄを、固定手段１２ｌ，１２ｒと同様に、ベルト１７とバックル１９により構成した他の実施例を示すもので、図１５は要部斜視図、図１６は使用状態の斜視図である。
【産業上の利用可能性】
【００３５】
本発明は以上の通り、従来のカバーと比較して、各種の特徴を有する折畳み式サイドレールのカバーを提供することができるものであり、上述した特徴の他、構成が簡単であるから、安価に提供できるという特徴を有するものでもある。
【図面の簡単な説明】
【００３６】
【図１】本発明に係るカバーを装着した折畳み式サイドレールの使用状態を示す斜視図である。
【図２】本発明に係るカバーを装着した折畳み式サイドレールの格納状態を示す正面図である。
【図３】本発明に係るカバーをベッド内側から見る場合に対応してサイドレールに取り付けていない状態で示す正面図である。
【図４】（ａ），（ｂ），（ｃ）は、夫々、図３のＡ方向，Ｂ方向，Ｃ方向矢視図である。
【図５】本発明のカバーを折畳み式サイドレールに装着する手順の一例を説明する、ある局面の斜視図である。
【図６】本発明のカバーを折畳み式サイドレールに装着する手順の一例を説明する、次のある局面の斜視図である。
【図７】本発明のカバーを折畳み式サイドレールに装着する手順の一例を説明する、次のある局面の斜視図である。
【図８】本発明のカバーを折畳み式サイドレールに装着する手順の一例を説明する、次のある局面の斜視図である。
【図９】本発明のカバーを折畳み式サイドレールに装着する手順の一例を説明する、次のある局面の斜視図である。
【図１０】本発明のカバーを折畳み式サイドレールに装着する手順の一例を説明する、次のある局面の斜視図である。
【図１１】本発明のカバーを折畳み式サイドレールに装着する手順の一例を説明する、次のある局面の斜視図である。
【図１２】本発明のカバーを折畳み式サイドレールに装着する手順の一例を説明する、次のある局面の斜視図である。
【図１３】本発明のカバーを折畳み式サイドレールに装着する手順の一例を説明する、次のある局面の斜視図である。
【図１４】本発明のカバーを折畳み式サイドレールに装着する手順の一例を説明する、次のある局面の斜視図である。
【図１５】ネットと下部横桟の固定手段の他の例を示す斜視図である。
【図１６】図１５の固定手段を用いた本発明に係るカバーを装着した折畳み式サイドレールの使用状態を示す斜視図である。
【符号の説明】
【００３７】
１                      ベッド
２                      側部フレーム
３                      折畳み式サイドレール
４                      上部横桟
５                      下部横桟
６                      縦桟
７                      支持棒
８                      嵌合穴
９                      カバー
１０                    縁布
１１                    ネット
１２ｕ，１２ｄ，１２ｌ，１２ｒ    固定手段
１３                    布状体
１４ａ                  留め具（プッシュホックのオス）
１４ｂ                  留め具（プッシュホックのメス）
１５                    摩擦体
１６                    留め具
１７                    ベルト
１８ａ                  ホックのオス
１８ｂ                  ホックのメス
１９                    バックル
２０                    ストッパー
【図１】
2006055477.tif 000003
【図２】
2006055477.tif 000004
【図３】
2006055477.tif 000005
【図４】
2006055477.tif 000006
【図５】
2006055477.tif 000007
【図６】
2006055477.tif 000008
【図７】
2006055477.tif 000009
【図８】
2006055477.tif 000010
【図９】
2006055477.tif 000011
【図１０】
2006055477.tif 000012
【図１１】
2006055477.tif 000013
【図１２】
2006055477.tif 000014
【図１３】
2006055477.tif 000015
【図１４】
2006055477.tif 000016
【図１５】
2006055477.tif 000017
【図１６】
2006055477.tif 000018